(57)【要約】 【課題】  棚板を容易に設置できて、しかも棚板が支持部材から浮き上がったりガタついたりしない、棚設備を提供する。【構成】    水平な支持部材に棚板を固定する際に、棚板の支持部材側の端部を、固定金具で下向きの成分と支持部材向きの成分とからなる力で付勢する。【選択図】    図４
2011136791.tif 000002
【特許請求の範囲】
【請求項１】
水平な支持部材と、支持部材に固定された棚板、とを備えた棚設備において、
前記支持部材に固定され、かつ前記棚板の支持部材側の端部を、下向きの成分と支持部材向きの成分とからなる力で付勢する固定金具を設けたことを特徴とする、棚設備。
【請求項２】
前記固定金具は曲折された板材からなり、支持部材と接する鉛直部と、鉛直部から延びて棚板を載せる水平部と、水平部から折り返すように斜め上方へ延びて棚板を付勢する付勢部と、付勢部から延びて棚板から離れる向きに曲がった案内部、とを備えていることを特徴とする、請求項１の棚設備。
【請求項３】
前記棚板は曲折された板材からなり、棚板の上面である載置面と、載置面から下方に延びる鉛直部と、鉛直部から内側へ折り曲げられた内向き部とを備え、
前記内向き部が固定金具の水平部に載ると共に、内向き部の先端が前記付勢部に当接することを特徴とする、請求項２の棚設備。
【発明の詳細な説明】
【技術分野】
【０００１】
この発明は棚設備に関し、特に棚板の位置決めに関する。
【背景技術】
【０００２】
特許文献１（特開平7-309406）は、平板状の棚板を用いた棚設備を備えた自動倉庫を開示している。この棚設備ではフリーサイズの荷物を収納できる。また特許文献２（特開2005-138949）では、上記の棚設備への荷物の出し入れに、スライドフォークとコンベヤとを備えたスタッカークレーンを用いることを開示している。特許文献２では、スライドフォークで荷物の両側面をクランプし、昇降台と棚板との間で荷物をスライドさせる。そして荷物を昇降台上へ引き込むと、コンベヤで荷物を移動させる。  
【０００３】
発明者は、上記の棚板を水平な支持部材で支持することを検討した。その場合、棚板の上面と支持部材の上面との高さが揃い、また棚板が支持部材に対し水平方向にガタつかない必要がある。棚板と支持部材との高さが揃っていないと、出し入れする荷物が棚板あるいは支持部材に衝突するおそれがある。また水平方向に棚板がガタつくと、支持部材と棚板の隙間に荷物が引っ掛かるおそれがある。
【先行技術文献】
【特許文献】
【０００４】
【特許文献１】特開平7-309406
【特許文献２】特開2005-138949
【発明の概要】
【発明が解決しようとする課題】
【０００５】
この発明の課題は、棚板を容易に設置できて、しかも棚板が支持部材から浮き上がったりガタついたりしない、棚設備を提供することにある。
【課題を解決するための手段】
【０００６】
この発明は、水平な支持部材と、支持部材に固定された棚板、とを備えた棚設備において、前記支持部材に固定され、かつ前記棚板の支持部材側の端部を、下向きの成分と支持部材向きの成分とからなる力で付勢する固定金具を設けたことを特徴とする。
【０００７】
この発明では、棚板が固定金具により下向きの成分と支持部材向きの成分とからなる力で付勢されるので、棚板が浮き上がることが無く、かつ水平方向にガタつくこともない。また固定金具により棚板を位置決めできるので、簡単に棚板を設置できる。
【０００８】
好ましくは、前記固定金具は曲折された板材からなり、支持部材と接する鉛直部と、鉛直部から延びて棚板を載せる水平な支持部と、支持部から折り返すように斜め上方へ延びて棚板を付勢する付勢部と、付勢部から延びて棚板から離れる向きに曲がった案内部、とを備えている。このようにすると、固定金具の支持部で棚板を支持できるので、別途の受け部材が不要で、しかも固定金具の付勢部で棚板を付勢し、案内部で棚板を案内できる。固定金具は曲折された板材なので、安価に構成できる。
【０００９】
特に好ましくは、前記棚板は曲折された板材からなり、棚板の上面である載置面と、載置面から下方に延びる鉛直部と、鉛直部から内側へ折り曲げられた内向き部とを備え、前記内向き部が固定金具の支持部に載ると共に、内向き部の先端が前記付勢部に当接する。このようにすると、棚板の内向き部を固定金具の支持部で支持でき、かつ内向き部の先端を付勢部で付勢できる。そして棚板も曲折された板材なので、安価に構成できる。
【図面の簡単な説明】
【００１０】
【図１】実施例の棚設備を用いた自動倉庫の鉛直方向要部断面図
【図２】実施例の棚設備を用いた自動倉庫の要部平面図
【図３】実施例での棚板と左右の支持部材と固定金具とを示す図
【図４】通路側の支持部材と固定金具及び棚板を示す図
【図５】背面側の支持部材と固定金具及び棚板を示す図
【図６】折り曲げ前の棚板の平面図
【発明を実施するための形態】
【００１１】
以下に本発明を実施するための最適実施例を示す。この発明の範囲は、特許請求の範囲の記載に基づき、明細書の記載とこの分野での周知技術とを参酌し、当業者の理解に従って定められるべきである。
【実施例】
【００１２】
図１〜図６に、自動倉庫２を例に実施例を示す。図において、自動倉庫２の中央に通路３があり、その左右に左右対称な一対の棚設備４，５がある。さらに棚設備４，５の通路３とは反対側を背面側と呼ぶ。棚設備４，５は通路３側に支柱１０を、背面側に支柱１１を備え、通路側の支持部材６は支柱１０により支持され、背面側の支持部材８は支柱１１により支持される。そして支持部材６，８は水平である。１２は棚板で、鋼板を曲折加工したもので、両端を水平な支持部材６，８で支持されている。通路３を適宜の搬送台車１４が走行し、棚設備４，５との間で荷物の受け渡しを行い、例えば左右の支持部材６，６を走行レールに兼用して走行する。１５はスライドフォーク、１６はコンベヤで、荷物１７ａ〜ｃの受け渡しを行う。
【００１３】
図３〜図６に、棚板１２と固定金具２２，２４とを示す。支持部材６側に固定金具２２を、支持部材８側に固定金具２４を配置する。棚板１２は板状で、その上面が載置面１８となり、載置面１８の高さと支持部材６の高さを揃えて、スライドフォーク１５などで荷物を出し入れする際に、荷物がスムーズに移動できるようにする。また棚板１２が図３の左右方向にガタつかないようにして、支持部材６と棚板１２の隙間などに荷物が引っ掛からないようにする。棚板１２は図３の手前と奥とに一対のリブ部１９，１９を備え、通路側と背面側とに一対の鉛直部２０，２０を備えている。鉛直部２０は載置面１８から下向きに９０°折り曲げられ、鉛直部２０の先端は内向きにさらに９０°折り曲げられて内向き部２１，２１となる。
【００１４】
図４に示すように、固定金具２２では、支持部材６の底面に当接する水平部２７が９０°上向きに折り曲げられて、鉛直部２５となり、支持部材６の側面に当接する。鉛直部２６は棚板１２側に水平に９０°折り曲げられて、支持部２９となり、その先端が斜め上方へ折り返すように折り曲げられて付勢部３２となり、さらに付勢部３２の先端が、棚板１２の内向き部２１から離れるように折り曲げられて案内部３３となる。水平部２７を設けると、固定金具２２が支持部材６に２面で当接して姿勢が安定するが、水平部２７は設けなくても良い。支持部３２，案内部３３の構成は、固定金具２２，２４で共通である。
【００１５】
図５に示すように、固定金具２４では、水平部２８が例えば支持部材８の上面と当接し、鉛直部２６が水平部２８から９０°下向きに折り曲げられて、棚板１２の鉛直部２０と当接する。そして鉛直部２６の下端が棚板１２側へ９０°折り曲げられて支持部３０となり、その先端を斜め上方に鉛直部２０を向くように折り曲げることにより、付勢部３２を構成する。付勢部３２の先端を鉛直部２０から離れるように折り曲げることにより、案内部３３を構成する。荷物を支持部材８上に載せることはないので、水平部２８は支持部材２８の上面に当接するが、水平部２８を支持部材８の下面に当接させても良い。
【００１６】
固定金具２２，２４はバネ鋼で構成され、固定金具２２はボルト３６とナット３７で、支持部材６の長溝３５に固定される。また固定金具２４は、ボルト３８とナット３９で、支持部材８に固定される。なお長溝３４，３５は、支柱１０との接続用の長溝である。
【００１７】
図４に戻り、固定金具２２は鉛直部２５と水平部２７とが支持部材６に当接することにより位置決めされている。そして水平な支持部２９で棚板１２の水平な内向き部２１を支持し、付勢部３２から内向き部２１の先端に下向きの力と支持部材６向きの力とを加える。この結果、棚板１２が位置決めされ、載置面１８と支持部材６の上面との高さが揃う。また棚板１２をセットする際には、案内部３３に沿って内向き部２１を案内する。
【００１８】
図５に示したように、固定金具２４では、水平部２８と鉛直部２６が支持部材８に当接することにより位置決めされる。棚板１２の内向き部２１が支持部３０で水平に支持され、付勢部３２から内向き部２１の先端に下向きの力と支持部材８向きの力が加わり、載置面１８が浮き上がることが防止される。また棚板１２をセットする際には、案内部３３に沿って内向き部２１が案内される。なお鉛直部２６をより広い範囲で支持部材８に当接させるには、例えば支持部材８の鉛直部４０をより下側にまで延長するか、下側の鉛直部４１を上向きに延長して、鉛直部２６の下端付近を支持すればよい。
【００１９】
これらの結果、棚板１２の載置面１８の高さが、支持部材６の上面の高さと揃う。また棚板１２の左右動が防止される。支持部２９，３０は長さが短いので、棚板１２からの荷重でたわむことはない。棚板１２の内向き部２１からの反作用で、固定金具２４の鉛直部２６が図５の右側にたわむことが考えられるが、棚板１２の鉛直部２０の上部が、鉛直部４０、２６で支持されるので、棚板１２はガタつかない。棚板１２の設置では、案内部３３に沿って内向き部２１の先端をガイドするように、棚板１２を下向きに押し込めばよい。
【００２０】
図６に棚板１２の折り曲げ加工前の状態を示す。図６の点線に沿って、リブ部１９，１９と鉛直部２０，２０並びに内向き部２１，２１を折り曲げると、棚板１２となる。
【００２１】
実施例では自動倉庫２への利用を示したが、棚設備４，５はローラウエイの終端のバッファなどにも利用できる。この場合、ローラウエイから排出された物品を仮置きするための棚とし、支持部材６をローラウエイの終端に配置する。この場合、支柱１０，１１はなくても良い。なお一対の固定金具２２，２４の内で、固定金具２２は支持部材６と載置面１８との高さを揃えるので、固定金具２４よりも重要である。このため固定金具２２を実施例のまま構成し、固定金具２４を設けず、棚板１２の支持部材８側の鉛直部２０を、支持部材８に設けた図示しない孔に引っ掛ける形状にして、棚板１２を支持部材８に固定しても良い。
【００２２】
実施例では以下の効果が得られる。
(1)  固定金具２２，２４により、載置面１８の高さを支持部材６の上面高さと揃えることができる。
(2)  固定金具２２，２４により、棚板１２が左右にガタつくことを防止できる。
(3)  これらの結果、荷物１７ａ〜ｃをスライドフォーク１５で摺動させる際に、滑らかに移動させることができる。
(4)  棚板１２を上から押し込むようにすると、案内部３３で内向き部２１が案内されて、棚板１２を簡単に固定できる。
(5)  固定金具２２，２４と棚板１２はいずれも金属の折り曲げ加工で構成でき、安価で製作が容易である。
【符号の説明】
【００２３】
２          自動倉庫
３          通路
４，５      棚設備
６，８      支持部材
１０，１１  支柱
１２        棚板
１４        搬送台車
１５        スライドフォーク
１６        コンベヤ
１８        載置面
１９        リブ部
２０        鉛直部
２１        内向き部
２２，２４  固定金具
２５，２６  鉛直部
２７，２８  水平部
２９，３０  支持部
３２        付勢部
３３        案内部
３４．３５  長溝
３６，３８  ボルト
３７，３９  ナット
４０，４１  鉛直部
【図１】
2011136791.tif 000003
【図２】
2011136791.tif 000004
【図３】
2011136791.tif 000005
【図４】
2011136791.tif 000006
【図５】
2011136791.tif 000007
【図６】
2011136791.tif 000008